【手続補正書】
【提出日】平成19年12月6日(2007.12.6)
【手続補正１】
【補正対象書類名】特許請求の範囲
【補正対象項目名】全文
【補正方法】変更
【補正の内容】
【特許請求の範囲】
【請求項１】
上面及び底面を有する柔軟性の基材と、
該基材の底面の少なくとも一部分を被覆する粘着剤層と、
該粘着剤層の表面を被覆し剥離可能な粘着剤保護層と、
前記基材を貼付する際に、該基材のしわ発生を防止する該基材の上面に仮着された支持体と、
を備える貼付材であって、
前記支持体は、前記基材の縁に沿って基材の外側へ突出する突出部を有し、この突出部が切り込みによって分割され複数の把持部が形成されていることを特徴とする貼付材。
【請求項２】
支持体の突出部に設けられた切り込みが、線状であることを特徴とする請求項１記載の貼付材。
【請求項３】
支持体の突出部に設けられた切り込みが、多角形、曲面、又は多角形と曲面とを組み合わせた形状であることを特徴とする請求項１記載の貼付材。
【請求項４】
基材が略長方形に形成され、前記支持体の突出部に設けられた線状の切り込みと、前記基材の縁とでなす角度が、４０〜１３０度であることを特徴とする請求項２記載の貼付材。
【請求項５】
基材が略長方形に形成され、前記支持体の突出部に設けられた切り込みは、さらに、前記基材の縁に対して平行な第２の線状の切り込みを有することを特徴とする請求項１〜４項のいずれか１項に記載の貼付材。
【請求項６】
上面及び底面を有する柔軟性の基材と、
該基材の底面の少なくとも一部分を被覆する粘着剤層と、
該粘着剤層の表面を被覆し剥離可能な粘着剤保護層と、
前記基材を貼付する際に、該基材のしわ発生を防止する該基材の上面に仮着された支持体と、
を備える貼付材であって、
前記支持体は、前記基材の縁に沿って基材の外側へ突出する突出部を有し、この突出部が線状の切り込みによって分割され複数の把持部が形成されるとともに、
前記線状の切り込みは、隣接するこれらの線同士の間隔が５〜５０ｍｍの範囲となるように形成されていることを特徴とする貼付材。
【請求項７】
上面及び底面を有する柔軟性の基材と、
該基材の底面の少なくとも一部分を被覆する粘着剤層と、
該粘着剤層の表面を被覆し剥離可能な粘着剤保護層と、
前記基材を貼付する際に、該基材のしわ発生を防止する該基材の上面に仮着された支持体と、
を備える貼付材であって、
前記支持体は、前記基材の縁に沿って基材の外側へ突出する突出部を有し、この突出部が面積をもつ形状からなる切り込みによって分割され複数の把持部が形成されるとともに、
前記面積をもつ形状からなる切り込みは、隣接するこれらの形状の中心部分の間隔が５〜５０ｍｍの範囲となるように形成されていることを特徴とする貼付材。
【請求項８】
上面及び底面を有する柔軟性の基材と、
該基材の底面の少なくとも一部分を被覆する粘着剤層と、
該粘着剤層の表面を被覆し剥離可能な粘着剤保護層と、
前記基材を貼付する際に、該基材のしわ発生を防止する該基材の上面に仮着された支持体と、
を備える貼付材であって、
前記基材は、縦方向と横方向とを有し、
前記支持体は、前記基材の縦方向辺縁に沿って基材の外側に延長された複数の把持部を有していることを特徴とする貼付材。
【請求項９】
上面及び底面を有する柔軟性の基材と、
該基材の底面の少なくとも一部分を被覆する粘着剤層と、
該粘着剤層の表面を被覆し剥離可能な粘着剤保護層と、
前記基材を貼付する際に、該基材のしわ発生を防止する該基材の上面に仮着された支持体と、
を備える貼付材であって、
前記基材は、縦方向と横方向とを有し、前記縦方向は連続して形成され、
前記支持体は、前記基材の縦方向辺縁に沿って基材の外側に延長されるとともに、前記延長された部分に切り込みを設けることにより複数の把持部が形成されていることを特徴とする貼付材。
【請求項１０】
貼付材が縦方向に連続し、ロール形状に形成されていることを特徴とする請求項９記載の貼付材。
【請求項１１】
粘着保護剤層が複数の分割線によって分割可能に形成されていることを特徴とする請求項１〜１０項のいずれか１項に記載の貼付材。
【請求項１２】
上面及び底面を有する柔軟性の基材と、
該基材の底面の少なくとも一部分を被覆する粘着剤層と、
前記基材を貼付する際に、該基材のしわ発生を防止する該基材の上面に仮着された支持体と、
を備える貼付材であって、
前記基材は、縦方向と横方向とを有し、
前記支持体は、前記基材の縦方向辺縁に沿って基材の外側に延長された複数の把持部を有し、前記粘着剤層が支持体の基材側と反対側に剥離可能に仮着され、ロール形状に形成されていることを特徴とする貼付材。
【手続補正２】
【補正対象書類名】明細書
【補正対象項目名】００１１
【補正方法】変更
【補正の内容】
【００１１】
また、本発明の前記課題は、下記請求項６ないし１２の発明のようにして達成することもできる。即ち、上面及び底面を有する柔軟性の基材と、該基材の底面の少なくとも一部分を被覆する粘着剤層と、該粘着剤層の表面を被覆し剥離可能な粘着剤保護層と、前記基材を貼付する際に、該基材のしわ発生を防止する該基材の上面に仮着された支持体と、を備える貼付材であって、前記支持体は、前記基材の縁に沿って基材の外側へ突出する突出部を有し、この突出部が線状の切り込みによって分割され複数の把持部が形成されるとともに、前記線状の切り込みは、隣接するこれらの線同士の間隔が５〜５０ｍｍの範囲となるように形成されているものとする（請求項６）。また、上面及び底面を有する柔軟性の基材と、該基材の底面の少なくとも一部分を被覆する粘着剤層と、該粘着剤層の表面を被覆し剥離可能な粘着剤保護層と、前記基材を貼付する際に、該基材のしわ発生を防止する該基材の上面に仮着された支持体と、を備える貼付材であって、前記支持体は、前記基材の縁に沿って基材の外側へ突出する突出部を有し、この突出部が面積をもつ形状からなる切り込みによって分割され複数の把持部が形成されるとともに、前記面積をもつ形状からなる切り込みは、隣接するこれらの形状の中心部分の間隔が５〜５０ｍｍの範囲となるように形成されているものとする（請求項７）。さらに、上面及び底面を有する柔軟性の基材と、該基材の底面の少なくとも一部分を被覆する粘着剤層と、該粘着剤層の表面を被覆し剥離可能な粘着剤保護層と、前記基材を貼付する際に、該基材のしわ発生を防止する該基材の上面に仮着された支持体と、を備える貼付材であって、前記基材は、縦方向と横方向とを有し、前記支持体は、前記基材の縦方向辺縁に沿って基材の外側に延長された複数の把持部を有するものとする（請求項８）。
【手続補正３】
【補正対象書類名】明細書
【補正対象項目名】００１２
【補正方法】変更
【補正の内容】
【００１２】
また、上面及び底面を有する柔軟性の基材と、該基材の底面の少なくとも一部分を被覆する粘着剤層と、該粘着剤層の表面を被覆し剥離可能な粘着剤保護層と、前記基材を貼付する際に、該基材のしわ発生を防止する該基材の上面に仮着された支持体と、を備える貼付材であって、前記基材は、縦方向と横方向とを有し、前記縦方向は連続して形成され、前記支持体は、前記基材の縦方向辺縁に沿って基材の外側に延長されるとともに、前記延長された部分に切り込みを設けることにより複数の把持部が形成されているものとする（請求項９）。さらに、前記請求項９に記載のものにおいて、貼付材が縦方向に連続し、ロール形状に形成されているものとする（請求項１０）。また、前記請求項１ないし１０のいずれか１項に記載のものにおいて、粘着保護剤層が複数の分割線によって分割可能に形成されているものとする（請求項１１）。
【手続補正４】
【補正対象書類名】明細書
【補正対象項目名】００１３
【補正方法】変更
【補正の内容】
【００１３】
また、本発明の前記課題は、下記請求項１２の発明によっても達成できる。即ち、上面及び底面を有する柔軟性の基材と、該基材の底面の少なくとも一部分を被覆する粘着剤層と、前記基材を貼付する際に、該基材のしわ発生を防止する該基材の上面に仮着された支持体と、を備える貼付材であって、前記基材は、縦方向と横方向とを有し、前記支持体は、前記基材の縦方向辺縁に沿って基材の外側に延長された複数の把持部を有し、前記粘着剤層が支持体の基材側と反対側に剥離可能に仮着され、ロール形状に形成されているものとする（請求項１２）。この構成は、例えば、梱包用に用いられるロール状の粘着テープであって、粘着テープをロールから引き剥がした際に、保護層のない粘着剤層が表出する構成と類似しており、貼付材の使い勝手がより良好となる。